(57)【特許請求の範囲】
【請求項１】
少なくとも前面開口が扉により開閉可能で、所定取付孔幅を有する複数の機器を上下方向に収納するキャビネットに設けたラック支持体であって、枠材を、前記所定取付孔幅に対応する機器取付用の取付孔が上下方向に並設される左右フレームと、該左右フレームの上端部同士を連設する上フレームと、前記左右フレームの下端部同士を連設する下フレームとで構成し、前記枠材の上部と下部を固定具により前記ラック支持体に対して左右調整不能に取り付け、前記左右フレームの中間部近傍はラック支持体に対して左右調整可能に取り付けることを特徴とするラック支持体。
【請求項２】
前記枠材の上部はネジ係合により、前記枠材の下部は軸と孔の挿入係合により、それぞれ左右調整不能に取り付けた請求項１に記載のラック支持体。
【請求項３】
少なくとも前面開口が扉により開閉可能で、所定取付孔幅を有する複数の機器を上下方向に収納するキャビネットに設けたラック支持体内に左右フレームを支持する方法であって、前記所定取付孔幅に対応する機器取付用の取付孔が上下方向に並設された左右フレームと、該左右フレームの上端部同士を連設する上フレームと、前記左右フレームの下端部同士を連設する下フレームとで枠材を構成した後、前記枠材の上部と下部を固定具によりラック支持体に対して左右調整不能に取り付け、その後、前記左右フレームの中間部近傍をラック支持体に対して左右調整可能に取り付けることを特徴とするラック支持体内に左右フレームを支持する方法。
【請求項４】
前記枠材には、前記左右フレーム中間部近傍の同一高さの取付孔に前記取付孔幅と同じ幅の通孔を有するゲージ部材が、両孔同士が一致するようにして結合されるとともに、前記枠材をラック支持体に取り付けた後は、前記ゲージ部材を前記左右フレームから取り外すようにした請求項３に記載のラック支持体内に左右フレームを支持する方法。
【発明の詳細な説明】
【０００１】
【発明の属する技術分野】
本発明は、少なくとも前面開口が扉により開閉可能で、所定取付け幅を有する複数の機器を上下方向に収納するキャビネットに設けたラック支持体及び該ラック支持体内に左右フレームを支持する方法に関する。
【０００２】
【従来の技術】
従来、ラック支持体に収納される所定取付孔幅を有する複数の機器は、それぞれ左右に独立して支持されている左右のフレームに取付けられていた。この時、フレームに形成した取付孔が機器類の所定取付孔幅と一致するように、左右のフレームはラック支持体に対して位置調整しながら正確に取り付けるか、或いはラック支持体自体を最初から高精度に製作した上で左右フレームを取り付けていた。
【０００３】
【発明が解決しようとする課題】
しかしながら、従来の左右フレームは、位置調整しながら取り付けるため手間がかかり、またラック支持体自体を最初から高精度で製作する場合にはコストがかかり、しかもフレームの高さ寸法がある程度長いものになると、たわみ等の影響により左右のフレーム間の距離が、特にフレームの中間部近傍で一定値に保持されにくくなり、機器類を左右フレームの取付孔に確実に取付けるられるようにフレームを設定するにはかなりの困難が伴うものであった。
【０００４】
本発明は、このような問題点に着目してなされたもので、機器類の取付けのための取付孔の幅寸法が機器の取付孔幅と正確に一致するようにしたラック支持体及びこのラック支持体内に左右フレームを支持する方法を提供することを目的とする。
【０００５】
【課題を解決するための手段】
上記課題を解決するために、本発明のラック支持体は、少なくとも前面開口が扉により開閉可能で、所定取付孔幅を有する複数の機器を上下方向に収納するキャビネットに設けたラック支持体であって、枠材を、前記所定取付孔幅に対応する機器取付用の取付孔が上下方向に並設される左右フレームと、該左右フレームの上端部同士を連設する上フレームと、前記左右フレームの下端部同士を連設する下フレームとで構成し、前記枠材の上部と下部を固定具により前記ラック支持体に対して左右調整不能に取り付け、前記左右フレームの中間部近傍はラック支持体に対して左右調整可能に取り付けることを特徴としている。
この特徴によれば、寸法変化が起こりやすい枠材の中間部が左右調整可能であるから、この部分を調整することで正確な寸法出しが可能であり、且つ枠材をラック支持体に支持するから、ラック支持体自体の剛性が上がる。
【０００６】
本発明のラック支持体は、前記枠材の上部はネジ係合により、前記枠材の下部は軸と孔の挿入係合により、それぞれ左右調整不能に取り付けることが好ましい。
このようにすれば、結合手段がネジ係合手段と、軸と孔による挿入係合手段であるので、構成が簡素で容易に取り付けることが可能である。
【０００７】
本発明のラック支持体内に左右フレームを支持する方法は、少なくとも前面開口が扉により開閉可能で、所定取付孔幅を有する複数の機器を上下方向に収納するキャビネットに設けたラック支持体内に左右フレームを支持する方法であって、前記所定取付孔幅に対応する機器取付用の取付孔が上下方向に並設された左右フレームと、該左右フレームの上端部同士を連設する上フレームと、前記左右フレームの下端部同士を連設する下フレームとで枠材を構成した後、前記枠材の上部と下部を固定具によりラック支持体に対して左右調整不能に取り付け、その後、前記左右フレームの中間部近傍をラック支持体に対して左右調整可能に取り付けることを特徴としている。
この特徴によれば、枠材の上部と下部を固定してから寸法変化が起こりやすい枠材の中間部を左右調整できるので、寸法出し作業が正確でかつ容易にできる。
【０００８】
本発明のラック支持体内に左右フレームを支持する方法は、前記枠材には、前記左右フレーム中間部近傍の同一高さの取付孔に前記取付孔幅と同じ幅の通孔を有するゲージ部材が、両孔同士が一致するようにして結合されるとともに、前記枠材をラック支持体に取り付けた後は、前記ゲージ部材を前記左右フレームから取り外すようにすることが好ましい。
このようにすれば、寸法変化が起こりやすい枠材の中間部近傍に正確に寸法出しされているゲージ部材を結合した状態で左右フレームの左右調整を行っているから、左右フレームはより正確な幅寸法で容易に支持されることになる。
【０００９】
【発明の実施の形態】
以下、本発明の実施例を図面に基づいて説明する。
【００１０】
図１には本発明が適用されるラック支持体２の分解斜視図が示されている。このラック２は支持枠で構成され、前面支持枠２ａと背面支持枠２ｂと左右２本の側面支持枠２ｃから構成されている。該４本の支持枠からなるラック支持体２の下端面はベース１ｂに載置し固定することによって支持され、ベース１ｂに取り付けられる枠材支持部材４は後述する図３において説明される枠材３を支持するためのものである。
【００１１】
また左右の側面支持枠２ｃの上方には上部横桟２ｃ−１、中間部（中間部近傍）には中間部横桟２ｃ−３がそれぞれ、側面支持枠２ｃの上端枠、下端枠に対して平行に取付けられ、後述する枠材３の左右側面側を支持するための一部材を担っているとともに、この横桟２ｃ−１，２ｃ−３は側面支持枠２のたわみ防止も兼ねた補強材の役割をしている。
【００１２】
図２は図１の各支持枠（２ａ，２ｂ，２ｃ）が組み立てられラック支持体２を形成した斜視図が示されており、左右の側面支持枠２ｃに取付けられた上部横桟２ｃ−１と、２ｃ−３の内側面側の前面支持枠２ａ寄りには、図に示される上部マウント５ａと中間部マウント５ｂが、横桟２ｃ−１，２ｃ−３の外側面側には上部ネジ座２ｃ−２と、中間部ネジ座２ｃ−４がそれぞれ配置され、上部マウント５ａと中間部マウント５ｂが横桟２ｃ−１，２ｃ−３に取付けられるようにネジ座にはネジ孔が設けられている。
【００１３】
図３は上記した図２のラック支持体２に取付けられる枠材３の斜視図を示しており、この枠材３は左右にフレーム３ａを設け、この両左右フレーム３ａの上端部を上連結部材３ｂで連結し、下端部を下連結部材３ｃで連結させることにより枠が形成される。左右フレーム３ａには所定の取付孔幅（通常規格化されている）を有する機器類を取り付けるための取付孔３ａ−１，３ａ−２が上下方向に並設されており、そして枠材３の両フレーム３ａのほぼ中間部には機器の取付孔幅と一致する幅を有する通孔３ｄ−１が形成されたケージ部材３ｄが、取付孔と通孔が一致するようにして結合されている。このように構成することにより、枠材３の中間部はたわむことなく、取付孔３ａ−１，３ａ−２間のゆがみを防止して寸法精度を保つことができる。また枠材３の下端面には左右にそれぞれ前後２本の突出ピン３ｅが形成されている。また左右のフレーム３ａ外側面の中間部やや下方には調整取付具３ｆが取り付けられ、この調整取付具３ｆは枠材３が図２に示されたラック支持体２内に取り付けられる時、枠材３の中間部がゲージ幅となるように横桟２ｃ−３に対して幅調整しながら取り付けることを可能にするものである。
【００１４】
前記枠材３がラック支持本体２内に取り付けられる過程を図３，４，５をもちいて説明する。図４はラック支持本体２の下端部の拡大斜視図が示されており、まず図３に示される枠材３下端面に形成した突出ピン３ｅがベース１ｂに取り付けられている左右２本の枠材支持部材４に施された孔として形成したピン受部４ａに嵌合することによって、該枠材３の下部が固定される。このように突出ピンの形をした軸とこのピンを受け入れるピン受部の孔との関係は、逆の関係であってもよい。即ち、枠材支持部材４に突出ピンを形成し、枠材３の下端面にピン孔を形成しても枠材３の下部は固定できる。
【００１５】
その後、枠材３の左右フレーム３ａの上部が上部横桟２ｃ−１に取り付けられ、最後に左右フレーム３ａの中間部が中間部横桟２ｃ−３に取り付けられる。そこで図５（ａ）（ｂ）をもちいて、この取り付け過程を詳述すると（左右フレームは同じ取付け方であるのでここでは左フレームだけについて述べる。）、まず図５（ａ）では上部マウント５ａと上部ネジ座２ｃ−２が上部横桟２ｃ−１を挟み込むように、図に示されるネジが上部マウント５ａのネジ挿通孔を介して上部ネジ座２ｃ−２のネジ穴に螺合することにより、上部横桟２ｃ−１を締め付けるようにして上部マウント５ａが固定される。
【００１６】
そして該上部マウント５ａのコの字型部分の凸面にはネジ穴が形成され、機器類を取り付ける前面取付孔３ａ−１と側面取付孔３ａ−２を備えたフレーム３ａのコの字型部分の凸面が上部マウント５ａの凸面と当接する状態でネジ係合している。このように左右両方のフレーム３ａが上部マウント５ａに固定されることにより、枠材３の下部は軸と孔との挿入係合により、上部はネジ係合によりラック支持体２に対して不動状態で固定されることになる。なお、枠材３の下部の固定手段は軸と孔による挿入固定に代えて上部マウントと同じ様なマウントを用いて、新たに下方に設けた横桟に固定するようにしてもよい。
【００１７】
そして枠材３の該フレーム３ａの中間部が中間部横桟２ｃ−３に取り付けられる構造を図５（ｂ）と図５（ｂ）の組み付け後の平断面図である図６により説明すると、まず上記した上部マウント５ａの取り付けと同様に、中間部マウント５ｂと中間部ネジ座２ｃ−４が中間部横桟２ｃ−３を挟み込むように、図に示すネジによって取り付けられる。
【００１８】
図３で示すように、枠材３形成時に調整取付具３ｆは左右フレーム３ａに取り付けられており、図６で示すように、この調整取付具３ｆを中間部マウント５ｂに嵌合させ、図に示されるネジで、調整取付具３ｆに施された機器の取付け幅方向に長孔となっているネジ挿通孔３ｆ−１を介して、中間部マウント５ｂのネジ穴に螺合させることにより、フレーム３ａは中間部マウント５ｂに固定される。このとき枠材３の中間部はゲージ部材３ｄにより正確な組み付け寸法（左右フレーム３ａの取付孔が機器の取付け幅と一致している）を有しているから、ゲージ部材３ｄの幅寸法が維持された状態で取り付けられるようにネジ挿通孔３ｆ−１の長穴部で調整して固定することになる。その後、ゲージ部材３ｄは枠材３から取り外し、その場所を機器の取付け部として利用する。
【００１９】
このように、枠材３の上部と下部はラック支持体２に調整されることなく不動状態に固定され、中間部はゲージ部材３ｄの幅寸法が維持できるように調整してラック支持体２に固定されるので、左右フレーム３ａに併設されている上下方向の取付孔（３ａ−１，３ａ−２）のそれぞれの対応する幅間隔は、機器の取付孔幅と一致させることができる。
【００２０】
なお、本実施例では、枠材３にゲージ部材３ｄを用いた例で説明したが、必ずしもゲージ部材３ｄを使用しなければならないというものではなく、左右フレーム３ａの中間部近傍である中間部を中間部マウント５ｂに取付ける際に、規定の幅寸法になるように計測しながら取付けるようにしてもよい。
【００２１】
図７は上述したラック支持体２に枠材３が適用され、このラック支持体２の前面、側面、背面、天井にそれぞれ前面扉１ｃ、側パネル１ｅ、背パネル１ｄ、天板１ａを取り付けることにより、キャビネット１が完成する図を示しており、天板１ａと背パネル１ｄに施された天板排気口１ａ−１と背面排気口１ｄ−１は特に電気機器類をラック支持本体２に複数取り付けると、かなりの発熱があり、電気機器類の正常作動に支障をきたす為、熱排気の役割を果たしている。また側パネル１ｅ、背パネル１ｄにはそれぞれラッチ錠１ｅ−１が適用されていることにより、取り付けや取り外しが容易に行え、特にサーバー等のネットワーク機器のメンテナンスを行い易くなっている。
【００２２】
【発明の効果】
本発明は以下の効果を奏する。
【００２３】
（ａ）請求項１項の発明によれば、寸法変化が起こりやすい枠材の中間部が左右調整可能であるから、この部分を調整することで正確な寸法出しが可能であり、且つ枠材をラック支持体に支持するから、ラック支持体自体の剛性が上がる。
【００２４】
（ｂ）請求項２項の発明によれば、結合手段がネジ係合手段と、軸と孔による挿入係合手段であるので、構成が簡素で容易に取り付けることが可能である。
【００２５】
（ｃ）請求項３項の発明によれば、枠材の上部と下部を固定してから寸法変化が起こりやすい枠材の中間部を左右調整できるので、寸法出し作業が正確でかつ容易にできる。
【００２６】
（ｄ）請求項４項の発明によれば、寸法変化が起こりやすい枠材の中間部近傍に正確に寸法出しされたゲージ部材を結合した状態で左右フレームの左右調整を行っているから、左右フレームはより正確な幅寸法で容易に支持されることになる。
【図面の簡単な説明】
【図１】キャビネットのラック支持体の分解斜視図である。
【図２】ラック支持体が組み立てられた斜視図である。
【図３】本発明の取付孔を有する左右フレームを用いた枠材の斜視図である。
【図４】ラック支持体の下部を示す拡大斜視図である。
【図５】（ａ）枠材の上部をラック支持体の上部に取付ける過程を示す拡大斜視図である。
（ｂ）枠材の中間部をラック支持体の中間部に取付ける過程を示す拡大斜視図である。
【図６】図５（ｂ）によって示された各種部材の取付完了状態を示す平断面図である。
【図７】本発明のキャビネットの分解斜視図である。
【符号の説明】
１      キャビネット
１ａ  天板
１ａ−１  天板排気口
１ｂ  ベース
１ｃ  前面扉
１ｄ  背パネル
１ｄ−１  背面排気口
１ｅ  側パネル
１ｅ−１  ラッチ錠
２      ラック支持本体
２ａ  前面支持枠
２ｂ  背面支持枠
２ｃ  側面支持枠
２ｃ−１  上部横桟
２ｃ−２  上部ネジ座
２ｃ−３  中間部横桟
２ｃ−４  中間部ネジ座
３      枠材
３ａ  左右１対のフレーム
３ａ−１  前面取付孔
３ａ−２  側面取付孔
３ｂ  上連結部材
３ｃ  下連結部材
３ｄ  ケージ部材
３ｄ−１  通孔
３ｅ  突出ピン（軸）
３ｆ  調整取付具
３ｆ−１  ネジ挿通孔（長孔）
４      枠材支持部材
４ａ  ピン受部（孔）
５ａ  上部マウント
５ｂ  中間部マウント
【図１】
0004454878.tif 000002
【図２】
0004454878.tif 000003
【図３】
0004454878.tif 000004
【図４】
0004454878.tif 000005
【図５】
0004454878.tif 000006
【図６】
0004454878.tif 000007
【図７】
0004454878.tif 000008